(57)【要約】  本発明に係るターボ機関、特に蒸気タービンのためのロータブレード(1)は、第1タブ(3)と、第1タブの軸方向(a)両側に配置された2つの第2タブ(4)とを有する差込式脚部(2)を備えており、第1タブおよび第2タブは、互いに対向する軸方向面(3.i,4.i)に、軸方向において段差(5)を有しており、それによってタブは、径方向外側の第1の部分(3.1,4.1)と、径方向内側の第2の部分(3.2,4.2)とを有しており、径方向内側の第2の部分の軸方向距離(bF3)は、外側の第1の部分の軸方向距離(bF1,bF2)よりも小さく、両方の第2タブ(4)の、互いに背向する軸方向面(4.a)の間の軸方向全幅(b)に関して、第1の径方向外側部分の径方向高さ(hF1/b)は0.39〜0.45の範囲、特に0.40〜0.44の範囲にあり、第2の径方向内側部分の径方向高さ(hF2/b)は0.40〜0.46の範囲、特に0.41〜0.45の範囲にある。
2011526339.tif 000002
【特許請求の範囲】
【請求項１】
ターボ機関、特に蒸気タービンのためのロータブレード(１)であって、
第１タブ(３)と、前記第１タブの軸方向(ａ)両側に配置された２つの第２タブ(４)と、を有する差込式脚部(２)を備えており、
前記第１タブおよび第２タブは、互いに対向する軸方向面(３.ｉ,４.ｉ)に、軸方向において段差(５)を有しており、それによって前記タブは、径方向外側の第１の部分(３.１,４.１)と、径方向内側の第２の部分(３.２,４.２)とを有しており、前記径方向内側の第２の部分の軸方向距離(ｂＦ３)は、前記外側の第１の部分の軸方向距離(ｂＦ１,ｂＦ２)よりも小さいロータブレードにおいて、
前記両方の第２タブ(４)の、互いに背向する軸方向面(４.ａ)の間の軸方向全幅(ｂ)に関して、前記径方向外側の第１の部分の径方向高さ(ｈＦ１／ｂ)は０.３９〜０.４５の範囲、特に０.４０〜０.４４の範囲にあり、前記径方向内側の第２の部分の径方向高さ(ｈＦ２／ｂ)は０.４０〜０.４６の範囲、特に０.４１〜０.４５の範囲にあることを特徴とするロータブレード。
【請求項２】
前記両方の第２タブ(４)の互いに背向する軸方向面(４.ａ)は、段差を有さないように構成されていることを特徴とする請求項１に記載のロータブレード。
【請求項３】
前記両方の第２タブ(４)の互いに背向する軸方向面(４.ａ)の間における前記軸方向全幅(ｂ)に関して、前記タブの径方向全高(ｈ／ｂ)は、０.８８〜０.９４の範囲、特に０.８９〜０.９３の範囲にあることを特徴とする請求項１または請求項２に記載のロータブレード。
【請求項４】
前記段差(５)は、前記両方の第２タブ(４)の互いに背向する軸方向面(４.ａ)の間における前記軸方向全幅(ｂ)に関して、０.００〜０.１４の範囲、特に０.００〜０.１２の範囲にある径方向高さを有することを特徴とする請求項１から請求項３のいずれか一項に記載のロータブレード。
【請求項５】
前記段差(５)の軸方向幅が連続的に、特に直線的に、前記第１の部分から前記第２の部分にかけて先細ることを特徴とする請求項１から請求項４のいずれか一項に記載のロータブレード。
【請求項６】
前記両方の第２タブ(４)の互いに背向する軸方向面(４.ａ)の間における前記軸方向全幅(ｂ)に関して、前記第１タブ(３)の前記径方向外側の第１の部分(３.１)は、０.２１〜０.２７の範囲、特に０.２２〜０.２６の範囲にある軸方向距離(ｂＦ２／ｂ)を有し、かつ／または、前記第１タブ(３)の前記径方向内側の第２の部分(３.２)は、０.１１〜０.１７の範囲、特に０.１２〜０.１６の範囲にある軸方向距離(ｂＦ３／ｂ)を有することを特徴とする請求項１から請求項５のいずれか一項に記載のロータブレード。
【請求項７】
前記両方の第２タブ(４)の互いに背向する軸方向面(４.ａ)の間における前記軸方向全幅(ｂ)に関して、前記第２タブ(４)の前記径方向外側の第１の部分(４.１)は、０.１６〜０.２２の範囲、特に０.１７〜０.２１の範囲にある軸方向距離(ｂＦ１／ｂ)を有し、かつ／または、前記第２タブ(４)の前記径方向内側の第２の部分(４.２)は、０.１１〜０.１７の範囲、特に０.１２〜０.１６の範囲にある軸方向距離(ｂＦ３／ｂ)を有することを特徴とする請求項１から請求項６のいずれか一項に記載のロータブレード。
【請求項８】
前記第１タブおよび前記第２タブは、２つの、径方向に離間した、互いに一直線に並ぶ孔(６.１,６.２)を固定ボルトを突き通すために有しており、前記両方の第２タブ(４)の互いに背向する軸方向面(４.ａ)の間における前記軸方向全幅(ｂ)に関して、径方向外側の孔(６.１)の中心点は、前記第１の部分(３.１,４.１)の径方向外側端部から、０.２４〜０.３０の範囲、特に０.２５〜０.２９の範囲にある距離(ｈＢ１／ｂ)を有し、かつ／または、径方向内側の孔(６.２)の中心点は、前記第１の部分(３.１,４.１)の径方向外側端部から、０.６０〜０.６６の範囲、特に０.６１〜０.６５の範囲にある距離(ｈＢ２／ｂ)を有することを特徴とする請求項１から請求項７のいずれか一項に記載のロータブレード。
【請求項９】
前記第１タブ(３)および前記第２タブ(４)は、径方向外側の桁(７)を介して互いに連結されており、前記桁の径方向高さ(ｈＦ１／ｂ)は、前記両方の第２タブ(４)の互いに背向する軸方向面(４.ａ)の間における前記軸方向全幅(ｂ)に関して、０.１２〜０.１８の範囲、特に０.１３〜０.１７の範囲にあることを特徴とする請求項１から請求項８のいずれか一項に記載のロータブレード。
【請求項１０】
請求項１から請求項９のいずれか一項に記載のロータブレード(１)の差込式脚部(２)を受容するためのノッチ機構を有するターボ機関、特に蒸気タービンであって、
前記ノッチ機構は、第１タブ(３)を受容するための第１ノッチ(３０)と、桁(８０)によって前記第１ノッチから分離された、第２タブ(４)を受容するための２つの第２ノッチ(４０)とを有しており、
前記桁は、互いに対向する軸方向面(８０.ｉ)に、軸方向において段差(５０)を有しており、それによって、前記桁は径方向外側の第１の桁部分(８１)と径方向内側の第２の桁部分(８２)とを有しており、前記内側の第２の桁部分の軸方向距離(ｂＮ２)は、前記外側の第１の桁部分の軸方向距離(ｂＮ１)よりも大きいターボ機関において、
前記両方の第２タブの互いに背向する軸方向面(４０.ａ)の間における軸方向全幅(ｂ)に関して、前記径方向外側の第１の桁部分(８１)の径方向高さ(ｔＮ１／ｂ)は、０.４０〜０.４６の範囲、特に０.４１〜０.４５の範囲にあり、前記径方向内側の第２の桁部分(８２)の径方向高さ(ｔＮ２／ｂ)は、０.４４〜０.５０の範囲、特に０.４５〜０.４９の範囲にあることを特徴とするターボ機関。
【請求項１１】
前記両方の第２タブ(４０)の互いに背向する軸方向面(４０.ａ)の間における前記軸方向全幅(ｂ)に関して、前記桁(８０)の径方向全高(ｔ／ｂ)は、０.９２〜０.９８の範囲、特に０.９３〜０.９７の範囲にあることを特徴とする請求項１０に記載のターボ機関。
【請求項１２】
前記桁(８０)は、その径方向外側の端面および／または径方向内側の端部に面を有することを特徴とする請求項１０または請求項１１に記載のターボ機関。
【請求項１３】
前記両方の第２タブの互いに背向する軸方向面(４０.ａ)の間における前記軸方向全幅(ｂ)に関して、前記桁(８０)の前記径方向外側の第１の部分(８１)は、０.１６〜０.２２の範囲、特に０.１７〜０.２１の範囲の軸方向距離(ｂＮ１／ｂ)を有し、かつ／または、前記桁(８０)の前記径方向内側の第２の部分(８２)は、０.２６〜０.３２の範囲、特に０.２７〜０.３１の範囲の軸方向距離(ｂＮ２／ｂ)を有することを特徴とする請求項１０から請求項１２のいずれか一項に記載のターボ機関。
【請求項１４】
前記ノッチ(３０,４０)は、前記第１タブ(３)および前記第２タブ(４)に対して略補完的に構成されていることを特徴とする請求項１０から請求項１３のいずれか一項に記載のターボ機関。
【発明の詳細な説明】
【技術分野】
【０００１】
本発明は、ターボ機関、特に蒸気タービンのための、複数のタブを有する差込式脚部を備えたロータブレードであって、当該複数のタブは、径方向において外側に位置する第１の部分と、径方向において内側に位置する第２の部分とを有しており、内側に位置する部分の軸方向距離は、外側に位置する部分の軸方向距離よりも小さいロータブレードと、当該ロータブレードを備えたターボ機関、特に蒸気タービンと、に関する。
【背景技術】
【０００２】
例えば溶接などによって、ターボ機関のロータに固定的に連結されたロータブレードの他に、今日では特に蒸気タービンにおいて、指物脚部および差込式脚部を備えたロータブレードが用いられている。例えば非特許文献１には、３つのタブを有する差込式脚部を備えた、蒸気タービンのためのロータブレードが記載されている。それぞれのタブは、その両側の軸方向面に段差を有しており、それによって、タブは径方向において外側に位置する第１の部分と、径方向において内側に位置する第２の部分とを具備し、内側に位置する第２の部分の軸方向距離は、外側に位置する第１の部分の軸方向距離よりも小さくなっている。
【０００３】
当該差込式脚部は、運転時に大きな応力に耐えなければならない。１つには、特にロータの回転数が比較的大きい場合、径方向に作用する大きな遠心力が発生する。加えて、ロータブレードの周囲を流れる媒体、およびロータブレードによって流れを変更される媒体、例えば仕事を行う、蒸気タービンにおいて膨張する蒸気は、軸方向および周方向においてロータブレードに力を加えるので、ロータブレードを差込式脚部で支持しなければならない。
【先行技術文献】
【非特許文献】
【０００４】
【非特許文献１】Dubbel, Taschenbuch fuer den Maschinenbau, 20.Auflage auf Seite R67.
【発明の概要】
【発明が解決しようとする課題】
【０００５】
本発明の課題は、差込式脚部を用いた、ターボ機関のロータブレードの固定を改善することにある。
【課題を解決するための手段】
【０００６】
本課題を解決するために、請求項１のプリアンブルに記載のロータブレードは、その特徴部分によって、さらに構成される。請求項１０は、当該ロータブレードを１つまたは複数備えたターボ機関を保護下に置くものである。従属請求項は、本発明の有利な、さらなる構成に関する。
【０００７】
本発明に係るロータブレードの差込式脚部は、１つの第１タブと、第１タブの軸方向において両側に配置された２つの第２タブとを有する。差込式脚部は、特に３つのタブを有するものとして構成できる。このとき、第１タブが中央のタブとなり、両方の第２タブが両端のタブとなる。しかしながら、第１タブまたは第２タブの１つの軸方向面または両方の軸方向面に、さらなるタブを設けることもできる。このさらなるタブは、略第１タブまたは第２タブのような幾何学寸法で形成されていると好ましい。
【０００８】
本発明によると、互いに対向する第１タブおよび第２タブの軸方向面は段差を有しており、当該段差は軸方向において延在し、それによって、当該タブは径方向外側の第１の部分と、当該部分と段差を介して接続される径方向内側の第２の部分とを具備し、内側の第２の部分の軸方向における距離は、外側の第１の部分の軸方向における距離よりも小さくなっている。第２タブの互いに背向する軸方向面は段差を有さず、連続した、特に平坦な軸方向端面を構成していることが好ましい。したがって、３つのタブを有する差込式脚部の場合、中央のタブがその両方の軸方向面に段差を有しており、両方の両端タブはその内側の、中央のタブに対向する軸方向面においてのみ、段差を有する。
【０００９】
本発明は、差込式脚部の軸方向全幅に関する、第１の部分および第２の部分の径方向高さを適切に選択することによって、当該差込式脚部が吸収できる力を明らかに増大させることができるという認識に基づいている。
【００１０】
ここで軸方向全幅とは、両方の第２タブの軸方向外側の端面間の距離を意味している。これら両方の軸方向端面が平行でない場合、軸方向全幅として、特に軸方向における最小距離、最大距離、または平均距離を用いることが可能である。「軸方向」、「径方向」、もしくは「周方向」という方向を示す表現は、ターボ機関におけるロータの方向を示す表現に関連するが、それは、本発明に係るロータブレードが当該ロータに固定されている場合である。
【００１１】
本発明の提案によると、第１の径方向外側の部分の径方向高さの比は、０.３９〜０.４５の範囲、特に０.４０〜０.４４の範囲にあるが、第２の径方向内側の部分の、軸方向全幅に対する径方向高さの比は、０.４０〜０.４６、特に０.４１〜０.４５の範囲にある。このとき、第１の径方向外側の部分の径方向高さを表すのは、特に段差と、第１タブと第２タブとを軸方向において互いに連結する桁との間の径方向距離である。したがって、第２の径方向内側の部分の径方向高さを表すのは、特に段差とタブの径方向内側端面との間の径方向距離である。このとき径方向距離は、軸方向において変化する。なぜなら、例えば径方向端面、段差、および／または２つの隣接するタブを連結する桁は、軸方向において、軸方向に平行には延在していないので、径方向高さとして、特に最小径方向距離、最大径方向距離、または平均径方向距離を用いることができるからである。
【００１２】
好ましくは、タブの径方向全高の、軸方向全幅に対する比は０.８８〜０.９４の範囲であり、より好ましくは０.８９〜０.９３の範囲である。径方向全高を表すのは、特に段差の径方向高さを含めた、第１の部分と第２の部分との前記径方向高さの合計である。当該段差は純粋な径方向の段差であり得るので、第１の領域と第２の領域との間のタブの軸方向距離は、突然に、または、非常に短い径方向部分において変化する。つまり、当該段差の径方向高さは略ゼロである。この場合、径方向全高は、第１の部分と第２の部分との径方向高さの合計に相当する。しかしながら、当該段差は傾斜も有し得るので、第１の部分と第２の部分との間におけるタブの軸方向幅は、直線的に先細っている。その他の、特に凸状または凹状に曲げられた段差も可能である。
【００１３】
第１の部分と第２の部分との径方向高さ、および軸方向全幅に関する径方向全高の前記好ましい領域に従うと、段差に関して、径方向高さの軸方向全幅に対する好ましい比は、０.００〜０.１４の範囲であり、より好ましくは０.００〜０.１２の範囲である。
【００１４】
第１タブの第１の径方向外側の、もしくは第２の径方向内側の部分は、軸方向全幅に関して、０.２１〜０.２７の範囲、特に０.２２〜０.２６の範囲、もしくは０.１１〜０.１７の範囲、特に０.１２〜０.１６の範囲の比を有していると好ましい。第２タブの第１の部分もしくは第２の部分の軸方向距離は、軸方向全幅に対して０.１６〜０.２２の範囲、特に０.１７〜０.２１の範囲、もしくは、０.１１〜０.１７の範囲、特に０.１２〜０.１６の範囲の比にあると好ましい。
【００１５】
タブの両方の軸方向面は、互いに平行に構成されていると好ましい。そうでない場合には、特に両方の軸方向面の間の最小距離、最大距離、または平均距離を軸方向距離とすることが可能である。
【００１６】
ターボ機関のロータのノッチ機構に差込式脚部を固定するために、第１タブおよび第２タブは、好ましくは１つ、より好ましくは２つまたはより多くの、互いに一直線に並ぶ、径方向に離間した孔を有しており、それぞれの、好ましくは円錐形のボルトは、当該孔に打ち込まれる。製造および取付けの公差を回避するために、差込式脚部をノッチ機構に差し込んだ後に当該孔を穿孔、および／または研磨によって設けても良い。
【００１７】
ボルトの位置は、ボルト面の上側破断面における遠心力負荷が引き起こす曲げ荷重が小さくなるように、または全く曲げ荷重を引き起こさないように選ぶことが好ましい。好ましくは、径方向外側の孔の中心点は、第１の部分の径方向外側の端部からの、例えば第１タブと第２タブとを連結する桁の径方向内側の端面からの、径方向距離を有しており、当該径方向距離は軸方向全幅と、０.２４〜０.３０の範囲の比、好ましくは０.２５〜０.２９の範囲の比を有する。他方、径方向内側の孔の中心点は、対応する比が０.６０〜０.６６の範囲、好ましくは０.６１〜０.６５の範囲である。
【００１８】
上述したように、第１タブおよび第２タブは、径方向外側に位置する桁を介して互いに連結されていることが好ましい。当該桁において、タブの第１の部分は径方向に終端している。このとき、第１タブ、第２タブ、および／または桁は、特に基礎成形および／または非切削もしくは切削による変形によって、互いに一体的に構成されるか、または複数のパーツから構成され、溶接などによって互いに結合される。径方向外側に位置する桁は、軸方向全幅に対する比が０.１２〜０.１８の範囲、特に０.１３〜０.１７の範囲にある径方向高さを有していることが好ましい。
【００１９】
好ましくは、ロータブレードが取り付けられた場合、ロータの回転方向において前方の、第２タブの軸方向端面は、孔の径方向面に対して平行に配置されており、それによって、回転方向において後方の、差込式脚部の軸方向端面は、対応してブレードピッチを中心に回転している。
【００２０】
その差込式脚部に対向する側に、ロータブレード断面が配置されている桁は、孔を通過する前記半径面に対して略垂直な面に位置していることが好ましい。このために、桁の径方向内側および／または外側端面を、孔の径方向面に対して、すなわち孔の両方の中心点を通過して径方向に延在する面に対して略直角に構成しても良い。
【００２１】
本発明に係るターボ機関は、本発明に係る各ロータブレードを固定するために、第１タブを受容するための第１ノッチと、第２タブを受容するための２つの第２ノッチを備えた、対応するノッチ機構を有している。第２ノッチは、それぞれ桁によって第１ノッチから分離されている。
【００２２】
好ましくは、当該ノッチは、ノッチによって受容されるタブに対して略補完的に構成されており、この点に関しては、上記の実施形態が指摘される。特に、両方の第２ノッチの互いに背向する軸方向面の間の軸方向全幅は、両方の第２タブの互いに背向する軸方向面の間の軸方向全幅に略相当することが好ましい。
【００２３】
このとき、特に製造および／または取付けの公差を補償するために、差異をわずかに抑えることに利点がある。すでにタブに関して説明したように、径方向高さもしくは軸方向距離としては、平行または平行ではない面の間の、径方向もしくは軸方向における最大距離、最小距離、または平均距離を対応して用いることができる。
【００２４】
例えば、軸方向全幅に対する、第１の径方向外側の桁部分もしくは第１の径方向外側のノッチ部分の径方向高さの比は、好ましくは０.４０〜０.４６の範囲、より好ましくは０.４１〜０.４５の範囲にあるが、軸方向全幅に対する、第２の径方向内側の桁部分もしくは対応する径方向内側のノッチ部分の径方向高さの対応する比は、好ましくは０.４４〜０.５０の範囲、より好ましくは０.４５〜０.４９の範囲にある。
【００２５】
さらなる利点および特徴は、従属請求項および実施例から明らかになる。このために、一部概略化した図を用いる。
【図面の簡単な説明】
【００２６】
【図１】本発明の実施形態に係るロータブレードの全体を示す斜視図である。
【図２】図１のロータブレードの差込式脚部を周方向において上から見た図である。
【図３】図２の差込式脚部を受容するためのノッチ機構を示す、図２に対応する図である。
【図４】図３のノッチ機構に受容された図２の差込式脚部の図である。
【図５】図４の差込式脚部を軸方向において上から見た図である。
【発明を実施するための形態】
【００２７】
図１は、本発明の実施形態に係る、３つのタブを有する差込式脚部２を備えたロータブレード１の斜視図である。特に、差込式脚部２を蒸気タービン(図示せず)のロータの周方向において上から見た図である図２から明らかであるように、差込式脚部２は径方向において外側からロータに差込可能であり、３つのタブを有する当該差込式脚部は、第１の中央タブ３と、軸方向ａにおいて当該中央タブ３の両側に配置された２つの第２両端タブ４と、を有している。互いに対向する中央タブ３の内側軸方向面３.ｉと、両端タブ４の４.ｉとは、それぞれ傾斜する段差５を有しているが、両方の両端タブの軸方向外側に位置する端面などは、平坦かつ互いに平行に構成されている。中央タブ３および両端タブ４と一体的に構成されている桁７と、傾斜する段差５との間では、中央タブ３が、軸方向距離ｂＦ２の第１の部分３.１を有しており、両方の両端タブ４は、軸方向距離ｂＦ１の第１の部分４.１をそれぞれ有している。当該第１の部分は、桁７の径方向内側の端面(図２の下方)から、段差５まで、すなわち軸方向距離が減少する箇所までを測定した、径方向高さｈＦ１を有している。桁７は、タブ３,４の径方向外側端部と、対向する径方向外側の端面との間に、径方向高さｈＰを有する。
【００２８】
中央タブ３および両端タブ４は、それぞれ、段差５によって第１の部分から分離された、第２の部分３.２もしくは４.２を有している。当該部分は、タブの径方向内側端面と、段差５、すなわち軸方向距離が変わる領域との間に、軸方向距離ｂＦ３および径方向高さｈＦ２を有する。
【００２９】
タブ３,４の、互いに対向する内側の軸方向面３.ｉ,４.ｉは、傾斜する段差５を除いて、両方の両端タブの平坦で段差の無い軸方向端面４.ａと平行に構成されている。
【００３０】
差込式脚部２は、両方の両端タブ４の両方の軸方向端面４.ａの間に、軸方向ａにおいて、軸方向幅ｂを有する。軸方向全幅ｂに関して、桁７の径方向内側端面と、タブ３,４の径方向内側端面との間に延在する、差込式脚部の径方向全高ｈは、ｈ／ｂ＝０.９１の比にある。
【００３１】
第１タブおよび第２タブの前記径方向高さの比は、ｈＦ１／ｂ＝０.４２、もしくは、ｈＦ２／ｂ＝０.４３に統一されている。
【００３２】
中央タブ３の軸方向距離については、ｂＦ２／ｂ＝０.２４、および、ｂＦ３／ｂ＝０.１４であり、両端タブ４については、ｂＦ１／ｂ＝０.１９、および、中央タブのようにｂＦ３／ｂ＝０.１４である。
【００３３】
差込式脚部２を受容するために、蒸気タービンのロータには、図３に示された、中央タブ３を受容するための中央ノッチ３０と、両端タブ４を受容するための２つの両端ノッチ４０とを有するノッチ機構が形成されている。
【００３４】
特に図４に示された組み立て図から明らかであるように、タブ３,４とノッチ３０,４０とは略相互補完的に構成されている。このために当該ノッチ機構は２つの同一の桁８０を有しており、当該桁は径方向内側に位置するノッチ底部から出発し、それぞれ軸方向距離ｂＮ２を有する第２の部分８２を備えており、第２の部分８２は傾斜する段差５０において、軸方向距離ｂＮ１を有する第１の部分に移行する。両端タブ４の両方の軸方向端面４.ａ間の軸方向全幅ｂに相当する、両方の両端ノッチ４０の平坦で平行な外側軸方向面の間の軸方向全幅ｂに関して、この第１の部分および第２の部分の径方向高さｔＮ１,ｔＮ２もしくは軸方向距離ｂＮ１,ｂＮ２は、ｂＮ１／ｂ＝０.１９、ｂＮ２／ｂ＝０.２９、ｔＮ１／ｂ＝０.４３、ｔＮ２／ｂ＝０.４７である。
【００３５】
第１の部分および第２の部分の径方向高さｔＮ１；ｔＮ２と段差５０の径方向高さとの合計から生じる径方向全高ｔの、軸方向全幅ｂに対する比は、ｔ／ｂ＝０.９５である。
【００３６】
特に図３および図４から明らかなように、ノッチ３０,４０は、その径方向内側のノッチ底部において、丸い面を有しており、桁４０はその径方向外側の端面に斜めの面を有している。
【００３７】
差込式脚部２がノッチ機構に差し込まれている限りにおいて、差込式脚部２は、軸方向に打ち込まれた２つの円錐形ボルト(図示せず)によって固定される。このために、図１および図５において認められる孔６.１,６.２が設けられており、当該孔はタブ３,４を突き通している。
【００３８】
図４では、両方の孔の中心線が破線で示されているが、特にこの図４から明らかなことに、径方向上側の孔の中心線は、桁８０の径方向外側端面もしくは桁７の径方向内側端面からの距離ｈＢ１を有しており、やはり図４に破線で示された、径方向内側の孔６.２の中心線は、径方向距離ｈＢ２を有する。その軸方向全幅ｂに対する比は、ｈＢ１／ｂ＝０.２７、ｈＢ２／ｂ＝０.６３である。
【００３９】
さらに、図５から明らかなように、タブ３,４の回転方向(図５では反時計回り)において前方の端面は、孔６.１,６.２の中心点を通る径方向面に対して平行であり、回転方向において後方の端面は、周方向において、対応してブレードピッチを中心に回転している。
【符号の説明】
【００４０】
１  ロータブレード
２  差込式脚部
３  第１もしくは中央タブ
３.１  第１の部分
３.２  第２の部分
３.ｉ  軸方向面
４  第２もしくは両端タブ
４.１  第１の部分
４.２  第２の部分
４.ｉ  内側の軸方向面
４.ａ  軸方向端面
５  段差
６.１  孔
６.２  孔
７  桁
３０  第１もしくは中央ノッチ
４０  第２もしくは両端ノッチ
４０ａ  軸方向ノッチ端面
５０  段差
８０  桁
８０.ｉ  内側前面
８１  第１の桁部分
８２  第２の桁部分
【図１】
2011526339.tif 000003
【図２】
2011526339.tif 000004
【図３】
2011526339.tif 000005
【図４】
2011526339.tif 000006
【図５】
2011526339.tif 000007
【国際調査報告】
2011526339.tif 000008
2011526339.tif 000009
2011526339.tif 000010
2011526339.tif 000011
2011526339.tif 000012
2011526339.tif 000013